(57)【特許請求の範囲】
【請求項１】
投入硬貨の正偽を判別し、投入硬貨を正貨と偽貨とに選別する硬貨選別手段と、該硬貨選別手段により選別された正貨を金種毎に収容する硬貨収容手段と、該硬貨収容手段から釣銭の額に応じた硬貨を払い出す硬貨払出手段とを少なくとも有する硬貨処理装置において、
前記硬貨収容手段を、一本ごとに独立して形成された複数本のコインチューブと、該コインチューブの外壁を構成すべく該コインチューブの内径と接するように互いに平行に形成された一対の前面と後面の各左右端部に形成され、互いに隣接するコインチューブ同志を連結する連結手段とにより構成したことを特徴とする硬貨処理装置。
【請求項２】
前記連結手段は、前記一対の前面と後面の各左右端部のうち、一方の端部に形成された係合孔と、他方の端部に形成され前記係合孔に嵌着係合する係合爪であることを特徴とする請求項(1)記載の硬貨処理装置。
【請求項３】
前記連結手段は、前記一対の前面と後面の各左右端部のうち、一方の端部に形成された嵌合孔と、他方の端部に形成され前記嵌合孔内に嵌着する嵌合突起であることを特徴とする請求項(1)記載の硬貨処理装置。
【請求項４】
投入硬貨の正偽を判別し、投入硬貨を正貨と偽貨とに選別する硬貨選別手段と、
該硬貨選別手段により選別された正貨を金種毎に収容する硬貨収容手段と、
該硬貨収容手段から釣銭の額に応じた硬貨を払い出す硬貨払出手段と、
該硬貨収容手段を着脱自在に支承する筐体を備えた、
硬貨処理装置において、
前記硬貨収容手段は、一本ごとに独立して形成された複数のコインチューブの連結によって構成され、
前記複数のコインチューブは、夫々同一構造の連結手段を備え、
互いに隣接する前記コインチューブ同志を前記連結手段によって連結することで硬貨収容手段を形成可能とするとともに、
該コインチューブの連結手段が前記筐体と嵌着することで、前記硬貨収容手段を該筐体へ支承可能としたことを特徴とする硬貨処理装置。
【請求項５】
前記連結手段は前記各コインチューブの一側面に形成された係合孔と、他側面に形成され前記係合孔に嵌着係合する係合爪であることを特徴とする請求項(4)記載の硬貨処理装置。
【請求項６】
前記連結手段は前記各コインチューブの一側面に形成された嵌合孔と、他側面に形成され前記嵌合孔内に嵌着する嵌合突起であることを特徴とする請求項(4)記載の硬貨処理装置。
【発明の詳細な説明】
【０００１】
【発明の属する技術分野】
この発明は、投入硬貨の正偽を判別し、正貨を金種別に収容するとともに、釣り銭の額に応じた硬貨を払い出す硬貨処理装置に関する。
【０００２】
【従来の技術】
一般に、自動販売機、両替機、サービス機器等には投入硬貨の正偽を判別し、正貨のみを金種別に選別収容するとともに、金種別に選別収容された硬貨を釣銭の額に応じて払い出す硬貨処理装置が装着されている。
【０００３】
この硬貨処理装置は、大別すると以下に示す３つの要素から構成されている。
その第１は投入硬貨の正偽を判別し、正貨と偽貨とに振り分ける硬貨選別手段である。
【０００４】
第２はこの硬貨選別手段の下部に配設され、選別された正貨を収容する硬貨収容手段であって、選別された正貨を金種毎に積載収容する複数本のコインチューブを一体形成した、いわゆる一体形成型コインチューブにより構成される。
【０００５】
また第３は上述した硬貨収容手段の下部に配設され、当該硬貨収容手段を構成する一体形成型コインチューブ内から釣銭の額に応じて硬貨を払い出す硬貨払出手段である。
【０００６】
なお、上述した各構成要素は筐体からなる装置本体内に装着されている。
【０００７】
【発明が解決しようとする課題】
ところで、上述した各構成要素を有する硬貨処理装置を世界各国で使用する場合は、その国の硬貨の特徴、即ち使用硬貨の外径に整合させた硬貨処理装置を提供しなければならないが、その場合、特に複数本のコインチューブを一体形成した一体形成型コインチューブを基本構成要素とする従来の硬貨収容装置では、その一体形成型コインチューブの各内径を各国の使用通貨の外径に整合させたものを提供することが必要である。
【０００８】
そこで、このような各国通貨に対応する硬貨処理装置を製造する場合は、その対応する国の数だけ別々に内径の異なった一体形成型コインチューブを製造しなければならず、これが硬貨処理装置の製造コスト上昇の要因となっていた。
【０００９】
また使用硬貨の径が変わった場合も、その外径に対応した内径を有する一体形成型コインチューブを新たに製造しなければならず、この場合も硬貨処理装置の製造コスト上昇の要因となる。
【００１０】
この発明は上述した事情に鑑み、一体形成型コインチューブを各種硬貨に対応して製造することなく各種硬貨を収容することのできる硬貨処理装置を提供することを目的とする。
【００１１】
【課題を解決するための手段】
上述した課題を解決するため、この出願の第１の発明では、投入硬貨の正偽を判別し、投入硬貨を正貨と偽貨とに選別する硬貨選別手段と、該硬貨選別手段により選別された正貨を金種毎に収容する硬貨収容手段と、該硬貨収容手段から釣銭の額に応じた硬貨を払い出す硬貨払出手段とを少なくとも有する硬貨処理装置において、前記硬貨収容手段を、一本ごとに独立して形成された複数本のコインチューブと、該コインチューブの外壁を構成すべく該コインチューブの内径と接するように互いに平行に形成された一対の前面と後面の各左右端部に形成され、互いに隣接するコインチューブ同志を連結する連結手段とにより構成するようにしている。  また、この出願の第２の発明では、投入硬貨の正偽を判別し、投入硬貨を正貨と偽貨とに選別する硬貨選別手段と、該硬貨選別手段により選別された正貨を金種毎に収容する硬貨収容手段と、該硬貨収容手段から釣銭の額に応じた硬貨を払い出す硬貨払出手段と、該硬貨収容手段を着脱自在に支承する筐体を備えた、硬貨処理装置において、前記硬貨収容手段は、一本ごとに独立して形成された複数のコインチューブの連結によって構成され、前記複数のコインチューブは、夫々同一構造の連結手段を備え、互いに隣接する前記コインチューブ同志を前記連結手段によって連結することで貨収容手段を形成可能とするとともに、該コインチューブの連結手段が前記筐体と嵌着することで、前記硬貨収容手段を該筐体へ支承可能としている。
【００１２】
【発明の実施の形態】
以下この発明に係わる硬貨処理装置の一実施例を詳述する。
【００１３】
図１はこの発明に係わる硬貨処理装置１の概念斜視図である。
【００１４】
この硬貨処理装置１も従来例と同様に、筐体からなる装置本体２の上方に着脱自在に配設された硬貨選別手段３と、この硬貨選別手段３の下方に着脱自在に支承された硬貨収容手段４と、この硬貨収容手段４の下方であって、前記装置本体２の最下面に配設された硬貨払出手段５とから構成されている。
【００１５】
このような硬貨処理装置１によると、投入硬貨が硬貨選別手段３の硬貨受入口６内に投入されると、その硬貨は硬貨選別手段３によりその正偽が判別され偽貨は当該硬貨選別手段３を介して図示せぬ硬貨払い出し口へ返却され、正貨はその金種が判別されて金種毎に硬貨収容手段４内に選別収容される。
【００１６】
また釣り銭の額に応じた金種が特定されると、硬貨払出手段５を介し釣り銭に対応する硬貨が硬貨収容手段４内から図示せぬ硬貨払出口へ返却される。
【００１７】
一方、上述した硬貨収容手段４は、一本ごとに独立して形成され、かつ使用硬貨の外径に対応した内径をそれぞれ有する複数本のコインチューブ１０、１１、１２、１３から構成され、これらの各コインチューブ１０、１１、１２、１３は相隣接して配設されている。
【００１８】
この一本ごとに独立形成された複数本のコインチューブ１０、１１、１２、１３のうち、コインチューブ１１を例にとって詳述すると、このコインチューブ１１は図２の拡大斜視図で示すように、収容する硬貨の外径に対応した内径Ｌを有する筒体２０と、この筒体２０の互いに対向する両側方に形成された連結手段３０とから構成されている。
【００１９】
なお、上述した各コインチューブ１０、１１、１２、１３の内径Ｌは収容する硬貨の外径に応じて異なっている。
【００２０】
このうち、筒体２０はその中心に硬貨を水平に積載収容する硬貨収容孔２１が形成され、また前面２０ａと後面２０ｂとが硬貨収容手段４の外壁を構成すべく矩形状に形成されている。
【００２１】
またこの矩形状に形成された前面２０ａと後面２０ｂには、それぞれ隣接する各コインチューブ同志を連結する連結手段３０が一体に形成されている。
【００２２】
この連結手段３０は隣接するコインチューブに嵌着係合する一対の係合爪３０ａ、３０ｂと、隣接するコインチューブの係合爪３０ａ、３０ｂが嵌着する一対の係合孔３０ｃ、３０ｄ（図５）とから構成され、これら一対の係合爪３０ａ、３０ｂと一対の係合孔３０ｃ、３０ｄは互いに対向する位置の前面２０ａと後面２０ｂとに形成され、しかも筒体２０の上下方向に沿い所定の間隔を設けそれぞれ２カ所形成されている。
【００２３】
このうち、一対の係合孔３０ｃ、３０ｄ（図５）は断面矩形状に形成され、また一対の係合爪３０ａ、３０ｂは図２のＡＡ断面で示す図５のように、先端がそれぞれ外側へ向け略９０度折れ曲がり、一方の係合爪３０ｂの先端が断面テーパー形状に、また他方の係合爪３０ａが断面円弧形状に形成されている。
【００２４】
なお、図３は図２の背面図、図４は図２のＢＢ断面図で、この図４に示すように筒体２０の下面には、図示せぬ硬貨払出手段のペイアウトスライドが嵌挿するスリット２０ｃが形成されている。
【００２５】
このような、各コインチューブ１０、１１、１２、１３を連結するには、コインチューブ１１、１２を例にとって詳述すると、図６の拡大断面図で示すように、コインチューブ１２の一対の係合孔３０ｃ、３０ｄ内にコインチューブ１１の一対の係合爪３０ａ、３０ｂを嵌着係合させる。すると両者は連結手段３０を介し強固に連結されることとなる。
【００２６】
なお、コインチューブ１２の一対の係合孔３０ｃ、３０ｄ内にコインチューブ１１の一対の係合爪３０ａ、３０ｂを嵌着係合させる場合は、先に先端が断面円弧形状に形成されたコインチューブ１１の係合爪３０ａをコインチューブ１２の係合孔３０ｃ内に嵌着係合させ、その後、コインチューブ１１の断面テーパー形状の係合爪３０ｂをコインチューブ１２の係合孔３０ｄ内に嵌着係合させるようにすると、スムーズに各コインチューブ１０、１１、１２、１３間の連結が行われる。
【００２７】
なお、各コインチューブ１０、１１、１２、１３間の連結を解除するには、ドライバー等の治具を使用して各コインチューブ１０、１１、１２、１３の各係合爪３０ａ、３０ｂを押し曲げ、各係合孔３０ｃ、３０ｄと各係合爪３０ａ、３０ｂとの係合を解除すれば良い。
【００２８】
図７は、各コインチューブ１０、１１、１２、１３を連結手段３０を介して連結し、一体にした状態を示す斜視図である。
【００２９】
このような各コインチューブ１０、１１、１２、１３を一体連結した硬貨収容手段４を図１で示す装置本体２に装着するには、図７で示すコインチューブ１３の右側方に突設された一対の係合爪３０ａ、３０ｂを、図１に示す装置本体２の右側方であって、前記一対の係合爪３０ａ、３０ｂと対応する箇所に４カ所形成された断面矩形状の係合孔２ａ内に嵌着係合させ、さらに、装置本体２の左側方であって、図７で示すコインチューブ１０の左側方に形成された一対の係合孔３０ｃ、３０ｄと対応する箇所に４カ所形成された係合爪２ｂ（なおこの係合爪２ｂは前記一対の係合爪３０ａ、３０ｂと同一形状をしている）を、コインチューブ１０の左側方に形成された各係合孔３０ｃ、３０ｄ内に嵌着させて行う。
【００３０】
このような硬貨収容手段４によると、互いに径の異なる独立した複数本のコインチューブ１０、１１、１２、１３を連結手段３０を介して互いに連結して一体とし、このような一体としたコインチューブ１０、１１、１２、１３を装置本体２に対して着脱自在に装着するようにしたから、予めオプションとしてコインチューブ１０、１１、１２、１３…を複数本用意し、硬貨収容手段４として使用する場合は、使用硬貨の径に対応するコインチューブをその中から選択し、これを互いに連結することにより径の異なる各種使用硬貨に対応した硬貨収容手段４を簡単に提供することができ、従来の一体成形型コインチューブのごとく使用硬貨に対応したものを新たに別々に製造する必要はなくなることとなる。
【００３１】
なお、上記実施例では図７で示すように、各コインチューブ１０、１１、１２、１３の各側方に一対の係合孔３０ｃ、３０ｄと一対の係合爪３０ａ、３０ｂとをそれぞれ形成するようにしたが、図７と同一部分を同一符号で示す図８の硬貨収容手段４のように、両側方に位置するコインチューブ１０、１３の各一方側（コインチューブ１０では左側、コインチューブ１３では右側）の上下にそれぞれ一対の円柱上の突起４０ａ、４０ｂを突設し、この各突起４０ａ、４０ｂを図９で示すように、対応する位置の装置本体２に形成されたガイド溝２ｃ、２ｄ内に嵌挿させ、さらに矢印のごとく回動させて、図１０で示すように装置本体２に対し硬貨収容手段４を構成する各コインチューブ１０、１１、１２、１３を着脱自在に装着させるようにしても良い。
【００３２】
また上記各実施例では、連結手段３０を各コインチューブ１０、１１、１２、１３毎に形成された係合孔３０ｃ、３０ｄとこれに嵌着係合する係合爪３０ａ、３０ｂとにより構成したが、この発明は上記実施例に限定されることなく、連結手段３０を、図５と同一部分を同一符号で示す図１１及び図１１のＣＣ断面図で示す図１２のように、縦方向にスリット５０ａが形成された筒体形状の一対の嵌合孔５０ｂと、この一対の嵌合孔５０ｂ内に嵌着する円柱形の一対の嵌合突起５０ｃとにより構成しても良い。
【００３３】
なお、これら一対の嵌合孔５０ｂと一対の嵌合突起５０ｃも互いに対向する位置に形成され、しかも筒体２０の上下方向に沿って所定の間隔を設け２カ所にそれぞれ形成されている。
【００３４】
このような、連結手段３０が形成された各コインチューブ１０、１１、１２、１３の連結は、図１３で示すように、各コインチューブ１０、１１、１２、１３の各嵌合孔５０ｂ内に各コインチューブ１０、１１、１２、１３の各嵌合突起５０ｂを嵌着係合させると、各コインチューブ１０、１１、１２、１３は連結手段３０を介し強固に連結され硬貨収容手段４が構成されることとなる。
【００３５】
なお、この一対の嵌合孔５０ｂと一対の嵌合突起５０ｃからなる連結手段３０を有する硬貨収容手段４を図１に示す装置本体２内に装着するには、図１３で示すコインチューブ１０の左側に形成された嵌合突起５０ｃと対応する箇所の装置本体２内に嵌合孔５０ｂと同一構造の嵌合孔を形成し、また図１３で示すコインチューブ１３の右側に形成された一対の嵌合孔５０ｂと対応する箇所の装置本体２内に一対の嵌合突起５０ｃと同一構造の嵌合突起を形成し、この嵌合突起にコインチューブ１３右側に形成された一対の嵌合孔５０ｂを嵌着し、またコインチューブ１０の左側に形成された嵌合突起５０ｃを装置本体２内の嵌合孔に嵌着させればよいこととなる。
【００３６】
【発明の効果】
以上説明したように、この発明の硬貨処理装置では、正貨を金種毎に収容する硬貨収容手段を、一本ごとに独立して形成された複数本のコインチューブと、この各コインチューブ毎に独立して形成された連結手段とにより構成したため、このような独立したコインチューブを予めオプションとして複数本用意し、径の異なる各種使用硬貨に対応してコインチューブを選択し、互いに連結することにより各種硬貨に対応した硬貨収容手段を提供することができ、このため、一体形成型コインチューブを各種硬貨に対応して製造することなく各種硬貨を収容することのできる硬貨処理装置を簡単に提供することができ、各国通貨に対応する硬貨処理装置を安価に提供することができる。
【図面の簡単な説明】
【図１】図１はこの発明に係わる硬貨処理装置の概念斜視図。
【図２】図２はコインチューブ単体の概念斜視図。
【図３】図３はコインチューブ単体の背面図。
【図４】図４は図２のＢＢ断面図。
【図５】図５は図２のＡＡ断面図。
【図６】図６は連結手段を介し単体のコインチューブを連結した状態を示す断面図。
【図７】図７は単体のコインチューブを連結した硬貨収容手段の概念斜視図。
【図８】図８は硬貨収容手段の他の実施例を示す概念斜視図。
【図９】図９は図８で示す硬貨収容手段を装置本体に装着する状態を示す概念斜視図。
【図１０】図１０は図８の硬貨収容手段を装置本体に装着した状態を示す概念斜視図。
【図１１】図１１は連結手段のさらに他の実施例を示すコインチューブの上面図。
【図１２】図１２は図１１のＣＣ断面図。
【図１３】図１３は各コインチューブを連結した状態を示す上面図である。
【符号の説明】
１…硬貨処理装置
３…硬貨選別手段
４…硬貨収容手段
５…硬貨払出手段
１０、１１、１２、１３…コインチューブ
３０…連結手段
３０ａ、３０ｂ…係合爪
３０ｃ、３０ｄ…係合孔
５０ｂ…嵌合孔
５０ｃ…嵌合突起
【図１】
0003761295.tif 000002
【図２】
0003761295.tif 000003
【図３】
0003761295.tif 000004
【図４】
0003761295.tif 000005
【図５】
0003761295.tif 000006
【図６】
0003761295.tif 000007
【図７】
0003761295.tif 000008
【図８】
0003761295.tif 000009
【図９】
0003761295.tif 000010
【図１０】
0003761295.tif 000011
【図１１】
0003761295.tif 000012
【図１２】
0003761295.tif 000013
【図１３】
0003761295.tif 000014